(57)【要約】【課題】プリントの注文及び受付業務を簡易化することである。【解決手段】本実施の形態に係る顧客画像データ利用サービス生産物生産システム１は、顧客の画像データが記憶された記憶媒体としてのメモリカード５０を用いて、メモリカード５０からの画像データを読出し、プリント注文を受け付ける際に注文情報を作成し、メモリカード５０に注文情報を記録する受付ＢＯＸ２００及び受付ＢＯＸ２００が取得した画像データと作成した注文情報とを用いてプリント１０を生産し一時保管する受取りＢＯＸ３００等から構成された無人ＤＰＥ−ＢＯＸ１００を備える。【選択図】          図１
2005011229.tif 000002
【特許請求の範囲】
【請求項１】
顧客の画像データを記憶した記録媒体から画像データを読出す顧客画像データ読出手段と、該顧客画像データ読出手段から読出された画像データに基づき画像データ利用サービス生産物を生産する画像データ利用サービス生産物生産手段と、を有する顧客画像データ利用サービス生産物生産システムにおいて、
前記顧客の画像データを記憶した記録媒体に該画像データ利用サービス生産物を生産するための前記顧客の注文情報を記録する顧客注文情報記録手段を有すること、
を特徴とする顧客画像データ利用サービス生産物生産システム。
【請求項２】
前記顧客の注文情報を入力する顧客顧客注文情報入力手段を有し、該顧客顧客注文情報入力手段から入力された前記顧客の注文情報が前記顧客注文情報記録手段により、前記顧客の画像データを記憶した記録媒体に記録されること、
を特徴とする請求項１記載の顧客画像データ利用サービス生産物生産システム。
【請求項３】
前記顧客の画像データが、静止画像データ及び／又は動画像データであること、を特徴とする請求項１又は２記載の顧客画像データ利用サービス生産物生産システム。
【請求項４】
前記画像データ利用サービス生産物が、プリントであること、を特徴とする請求項１〜３のいずれか一項に記載の顧客画像データ利用サービス生産物生産システム。
【請求項５】
前記画像データ利用サービス生産物が、前記読出された顧客の画像データに基づき画像データが記録された記録媒体であること、を特徴とする請求項１〜３のいずれか一項に記載の顧客画像データ利用サービス生産物生産システム。
【発明の詳細な説明】
【０００１】
【発明の属する技術分野】
本発明は、画像データが記憶された記憶媒体から画像データ利用サービス生産物を生産するための顧客画像データ利用サービス生産物生産システムに関する。
【０００２】
【従来の技術】
従来、顧客がＤＳＣ（デジタルスチルカメラ）等の撮像装置により撮影された画像データをプリントする場合、画像データが記憶された記憶媒体（例えば、メモリカード等。）を持って現像／プリント／引き伸ばしサービスを提供する写真店に来店し、顧客の氏名、住所、電話番号等の個人情報やプリントサイズや枚数等のプリントの情報や料金情報等の注文情報を作成してもらわなくてはならい。また、再度同じ画像データを用いて追加プリントを行う場合にも、注文情報を作成してもらわなくてはならず、時間と手間がかかっていた。
更に、店員は、顧客から受取った画像データと注文情報が記入された注文伝票とを管理するため、新たに管理伝票に注文情報を転記しなければならず、転記ミスが生じる恐れがある。
【０００３】
例えば、特許文献１には、画像データが記憶されたメディアから、画像データを読み出す読取装置と、読取装置から読み出された画像データを基にして、画像のプリント注文に関する情報を作成し、注文確認に関する操作に応動して、プリント注文に関する情報の少なくとも一部を外部のプリンタに出力して印字させ、及び／又は前記情報の少なくとも一部を外部の画像形成装置に転送して画像を形成させるプリント注文受付器が開示されている。
【０００４】
【特許文献１】
特開２００１−０９４９１０号公報
【０００５】
【発明が解決しようとする課題】
特許文献１記載の発明は、顧客に若干の負担はかかるが、店員側にとっては、画像の選択ミス等による注文間違い等を防止し、かつ顧客も画像を見られることなく注文できるのでメリットは大きい。
しかしながら、このシステムでは注文完了後、近くの店員にレシートを渡し、氏名、電話番号等を聞かれ、再度転記された受付表を受け取らなければならならず、転記ミスによるトラブルや３枚綴りの受付表を使用するため、コストもかかる。またプリント受け取り時には、店員に声かけ、転記さえた受付伝票控えを渡し、その受付伝票と仕上がり品を確認したりする等して、非常に手間がかかり混雑しているとき等は店員にとっても顧客にとっても非常に非効率なシステムであった。
【０００６】
本発明の課題は、プリントの注文及び受付業務を簡易化することである。
【０００７】
【課題を解決するための手段】
請求項１に記載の発明は、顧客の画像データを記憶した記録媒体から画像データを読出す顧客画像データ読出手段と、該顧客画像データ読出手段から読出された画像データに基づき画像データ利用サービス生産物を生産する画像データ利用サービス生産物生産手段と、を有する顧客画像データ利用サービス生産物生産システムにおいて、前記顧客の画像データを記憶した記録媒体に該画像データ利用サービス生産物を生産するための前記顧客の注文情報を記録する顧客注文情報記録手段を有する顧客画像データ利用サービス生産物生産システムであることを特徴としている。
【０００８】
請求項２に記載の発明は、前記顧客の注文情報を入力する顧客顧客注文情報入力手段を有し、該顧客顧客注文情報入力手段から入力された前記顧客の注文情報が前記顧客注文情報記録手段により、前記顧客の画像データを記憶した記録媒体に記録される請求項１記載の顧客画像データ利用サービス生産物生産システムであることを特徴としている。
【０００９】
請求項３に記載の発明は、前記顧客の画像データが、静止画像データ及び／又は動画像データである請求項１又は２記載の顧客画像データ利用サービス生産物生産システムであることを特徴としている。
【００１０】
請求項４に記載の発明は、前記画像データ利用サービス生産物が、プリントである請求項１〜３のいずれか一項に記載の顧客画像データ利用サービス生産物生産システムであることを特徴としている。
【００１１】
請求項５に記載の発明は、前記画像データ利用サービス生産物が、前記読出された顧客の画像データに基づき画像データが記録された記録媒体ある請求項１〜３のいずれか一項に記載の顧客画像データ利用サービス生産物生産システムであることを特徴としている。
【００１２】
この請求項１〜５に記載の発明によれば、プリントを受取る際に、記憶媒体に記憶された注文情報を照合することによって、プリントされた画像と顧客との照合を行う際の再確認手続が簡略化することが可能となり、プリントの注文及び受付業務が簡易化される。
【００１３】
【発明の実施の形態】
以下、図を参照して本発明の実施の形態を詳細に説明する。
まず、構成を説明する。
図１は、本実施の形態における顧客画像データ利用サービス生産物生産システム１の概略構成図である。
【００１４】
図１に示すように、本実施の形態に係る顧客画像データ利用サービス生産物生産システム１は、記憶媒体としてのメモリカード５０を用いて、メモリカード５０からの顧客の画像データを読み込み、プリント注文を受け付ける際に注文情報を作成し、メモリカード５０に注文情報を記録する受付ＢＯＸ２００及び受付ＢＯＸ２００が取得した画像データと作成した注文情報とを用いて画像データ利用サービス生産物としてのプリント１０を生産し一時保管する受取りＢＯＸ３００等から構成された無人ＤＰＥ−ＢＯＸ１００を備える。
【００１５】
画像データ利用サービスとは、例えばＬサイズ、２Ｌサイズのような通常プリントから、インデックス、カレンダー、名刺、アルバム、ポストカード等のフレームとうまく合成した付加価値プリント等称す。また、画像データを用いてＣＤ−Ｒ（Ｄｉｇｉｔａｌ  Ｖｅｒｓａｔｉｌｅ  Ｄｉｓｃ）やＤＶＤ（Ｄｉｇｉｔａｌ  Ｖｅｒｓａｔｉｌｅ  Ｄｉｓｃ）に書込んだり、画像を編集して書込むこともこの範疇となる。ＷＥＢ（Ｗｏｒｌｄ  Ｗｉｄｅ  Ｗｅｂ）を介して画像をアップロードして、保管したり、電子メールで送付したりすることも含まれる。
上記サービスを生産するために必要な情報はオーダーＩＤ（受け付けＩＤ）、サービス名、サービスＩＤ、付加情報（インデックス有り、ＣＤ−Ｒ付）、料金情報、外注フラグ、生産番号、画像データ格納場所、画像データファイル名、画像加工情報（トリミング、拡大縮小、回転）、フレーム情報、色調整情報（明るさ、彩度、コントラスト）、数量、個人情報、ＣＤ−Ｒ番号、ＣＤ−Ｒ種類、顧客持ち込みメディア種プリント面質等である。
【００１６】
無人ＤＰＥ（Ｄｅｖｅｌｏｐｍｅｎｔ  Ｐｒｉｎｔｉｎｇ  Ｅｎｌａｒｇｅｍｅｎｔ）−ＢＯＸは、受付ＢＯＸ２００と受取りＢＯＸ３００とが一体となった顧客操作型の現像／プリント／引き伸ばしサービスを提供する装置である。
【００１７】
メモリカード５０は、記憶媒体としてフラッシュメモリを採用しているカード型の記憶装置であり、受付ＢＯＸ２００で画像データを読み出すためのアダプタを含んでいてもよい。また、メモリカード５０には、少なくとも１つの撮影された顧客の画像データが記憶される。
なお、本実施の形態では画像データ及び後述する注文情報を書込むことのできる記憶媒体としてメモリカード５０を採用するが、これに限るものではない。例えば、ＭＯ（Ｍａｇｎｅｔｏ  Ｏｐｔｉｃａｌ  Ｄｉｓｋ）等の磁気ディスク、ＣＤ−Ｒ、ＣＤ−ＲＷ、ＤＶＤ、ＤＶＤ−Ｒ、ＤＶＤ−ＲＡＭ１０３１０３、ＤＶＤ±ＲＷ等の光ディスク、青紫レーザを用いる次世代高密度記憶媒体、可搬式ＨＤ（ハードディスク）等でもよい。
【００１８】
画像データ３０２は、ＤＳＣで撮影された静止画に限らず動画でもよい。また、フィルムを用いて撮影された静止画及び動画を記憶媒体としてのメモリカード５０に書込んだデータでもよく、プリント可能なデータであればこの限りではない。
【００１９】
注文情報は、従来の写真店等の店頭でプリント注文受付時に作成される、顧客の氏名、住所、電話番号、連絡先等の個人情報と、プリントサイズや枚数等のプリント１０の情報と、料金情報とを含み、更に受取り時の戸棚情報、整理番号、暗証番号等を含む。
これらの注文情報は、第三者に盗み見られたり改ざんされたりされないよう安全性に配慮するため暗号化若しくはそれに類する方法にて解読困難な情報に変換されることが好ましい。
【００２０】
受付ＢＯＸ２００は、無人ＤＰＥ−ＢＯＸ１００の正面側に、操作表示部１０４と、メモリカード挿入部１０５と、プリント１０の料金を精算するための硬貨投入口及び紙幣挿入口等を有する料金自動精算部１０７とを備える。
【００２１】
受取りＢＯＸ３００は、無人ＤＰＥ−ＢＯＸ１００の正面側に、プリント１０を一時保管し、顧客がプリント１０を受取るための戸棚を複数有する受取りロッカー８０が備えられる。複数の戸棚は、夫々異を識別するための戸棚情報（例えば、番号、記号等。）を有している。
【００２２】
なお、無人ＤＰＥ−ＢＯＸ１００は、注文情報が記載された受付レシートを発行することができる機能を有してもよく、ネットワークを介してメモリカード５０を用いることができる携帯電話、ＰＤＡ（Ｐｅｒｓｏｎａｌ  Ｄｉｇｉｔａｌ  Ａｓｓｉｓｔａｎｃｅ）等の携帯情報端末やＰＣ（Ｐｅｒｓｏｎａｌ  Ｃｏｍｐｕｔｅｒ）等から注文情報を確認することができる機能を有することが好ましい。
【００２３】
無人ＤＰＥ−ＢＯＸ１００は、例えば写真店に設置されることに限らず、利便性を考慮し２４時間営業しているコンビニエンスストアや、複数人が集まるファミリーレストランやカラオケ店等に設置されてもよいが、これらの場所に限られるものではない。
【００２４】
図２は、図１に示す無人ＤＰＥ−ＢＯＸ１００の制御構成のブロック図を示す。
図２に示すように、受付ＢＯＸ２００は、ＣＰＵ１０１（Ｃｅｎｔｒａｌ  Ｐｒｏｃｅｓｓｉｎｇ  Ｕｎｉｔ）、ＲＯＭ１０２（Ｒｅａｄ  Ｏｎｌｙ  Ｍｅｍｏｒｙ）、ＲＡＭ１０３（Ｒａｎｄｏｍ  Ａｃｃｅｓｓ  Ｍｅｍｏｒｙ）、顧客がプリント注文情報を入力するための顧客注文情報入力手段としての操作表示部１０４、メモリカード５０から画像データを読み出す顧客画像データ読出手段、メモリカード５０に注文情報を記録する顧客注文情報記録手段、注文情報が記録された画像データ利用サービス生産物としてのメモリカード５０から注文情報を読込む手段としてのメモリカード挿入部１０５、読込まれた画像データと作成された注文情報を登録するための記憶部１０６、料金自動精算部１０７、読込まれた画像データと作成された注文情報とに基づいてプリント１０を生産する画像データ利用サービス生産物生産手段としてのプリント作成部１０８、通信制御部１０９等により構成され、各部は通信手段としてのバス１１０により接続される。
【００２５】
ＣＰＵ１０１は、本実施の形態を実現するために、ＲＯＭ１０２及び記憶部１０６内に記憶されているシステムプログラム、顧客画像データ利用サービス生産物生産システム１に関するプログラム、各処理プログラム、データを読み出してＲＡＭ１０３内に展開する。
ＣＰＵ１０１はメモリカード挿入部１０５に挿入されたメモリカード５０から画像データを読出し、ＲＡＭ１０３内に一時的に格納し、展開されたプログラムに従って各注文制御を行い、そして、メモリカード５０に注文情報の記録処理を行う。またメモリカード５０に記録された注文情報を読出し、記憶部１０６に登録されている注文情報との照合処理を行う。
また、展開されたプログラムに従って、各部の動作を集中制御する。システム全体のタイミング制御、ＲＡＭ１０３を使用した各処理のデータの記憶及び蓄積制御、操作表示部１０４の入出力制御、料金自動精算部１０７の料金精算制御、プリント作成部１０８のプリント作成制御等の動作制御を行うものである。
【００２６】
ＲＯＭ１０２は、受付ＢＯＸ２００及び受取りＢＯＸ３００に対応するプログラムやデータ等があらかじめ記憶されており、顧客画像データ利用サービス生産物生産システム１に関するプログラム、当該システムに対応する各種処理プログラム、各種処理プログラムで処理するのに必要なデータを記憶している。
【００２７】
ＲＡＭ１０３は、ＣＰＵ１０１により制御実行される各種処理において、ＲＯＭ１０２やメモリカード挿入部１０５等から読み出されたプログラム、入力、若しくは出力データ及びパラメータ等の一時的な格納領域となる。
【００２８】
操作表示部１０４は、ＬＣＤ（Ｌｉｑｕｉｄ  Ｃｒｙｓｔａｌ  Ｄｉｓｐｌａｙ）により構成され、ＣＰＵ１０１から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてＣＰＵ１０１に出力する。また、操作表示部１０４は、数字ボタン、スタートボタン等の各種操作ボタンを備え、ボタン操作による操作信号をＣＰＵ１０１に出力する。
【００２９】
メモリカード挿入部１０５は、ＤＳＣ等によって撮影された画像データを記憶したメモリカード５０用のアダプタを備え、メモリカード５０が差し込み可能である。メモリカード５０内の画像データを受付ＢＯＸ２００内に読出すこと、作成された注文情報を記録すること、メモリカード５０内に記録された注文情報を読出すことができる。
なお、用いるメモリカード５０の種類毎に対応したアダプタを複数設置することが好ましい。
【００３０】
記憶部１０６は、本プリント受付注文システム１を利用してプリント注文する際に作成され注文情報とメモリカード５０から読出した画像データとを関連付けて、少なくともプリント１０受取り時まで記憶する。
なお、記憶部１０６は、書き込み可能な不揮発性の記憶媒体であればよく、ＨＤＤ（Ｈａｒｄ  Ｄｉｓｋ  Ｄｒｉｖｅ）、ＭＲＡＭ（Ｍａｇｎｅｔｉｃ  Ｒａｎｄｏｍ  Ａｃｃｅｓｓ  Ｍｅｍｏｒｙ）又はフラッシュメモリ等で構成されていても良く、この限りではない。また、このＩ億部２０６は、制御基板等に固定的に設けられるもの、若しくは着脱自在に装着するものであってもよく、インターフェイスを介して書き換え可能なものでも良い。
【００３１】
料金自動精算部１０７は、プリント１０の受取り時において、注文情報に基づいてプリント１０の料金の徴収を行う。顧客が料金自動精算部１０７の硬貨７１投入口及び紙幣７２挿入口から入金した硬貨７１及び紙幣７２の判別を行い、必要金額を徴収する機能を有する。
【００３２】
プリント作成部１０８は、プリント注文受付後、記憶部１０６に記憶された注文情報と画像データとを用いてプリント１０を生産する。また、生産されたプリント１０を受取りロッカー８０の戸棚に保管し、保管された戸棚の識別情報を注文情報に書き加えることができる。
【００３３】
通信制御部１０９は、モデム、ＬＡＮアダプタやルータやＴＡ（Ｔｅｒｍｉｎａｌ  Ａｄａｐｔｅｒ）等によって構成され、専用線、或いは電話回線、ＩＳＤＮ回線、ＡＤＳＬ回線、光回線等の通信回線を介してネットワークに接続され、保守管理用のサーバ等の通信制御を行う。
【００３４】
次に、本実施の形態の動作を説明する。
図３は、本実施の形態における顧客画像データ利用サービス生産物生産システムのプリント受付時の動作フローの一例を示す。
プリント受付時の前に、顧客は画像データが少なくとも１つは記憶されたメモリカード５０を持っている。
【００３５】
まず、顧客が無人ＤＰＥ−ＢＯＸ１００の操作表示部１０４の前に立つと（ステップＳ１）、人を検知する検知器等により顧客が無人ＤＰＥ−ＢＯＸ前にいることが認識され、操作表示部１０４に「いらっしゃいませ」等のプリント注文受付開始画面が表示され（ステップＳ２）、メモリカード５０挿入部１０５に挿入するメモリカード５０の選択画面が表示される（ステップＳ３）。
【００３６】
次に、顧客は、表示されたメモリカード５０の選択画面よりプリントすべき画像データが記憶されているメモリカード５０の種類を選択し、メモリカード５０挿入部１０５へメモリカード５０を挿入する。
挿入されたメモリカード５０は認識され（ステップＳ４）メモリカード５０内に注文情報の有無が確認される。注文情報が無い場合、プリントメニュー画面が表示される（ステップＳ５）。注文情報が有る場合は、後述するプリント１０受取り動作フローに移る。
【００３７】
顧客は、表示されたプリントメニュー画面からプリント注文を選択する（ステップＳ６）。無人ＤＰＥ−ＢＯＸ１００のメモリカード挿入部１０５からメモリカード５０内の画像データが読出され、操作表示部１０４に画像データが表示される（ステップＳ７）。
【００３８】
そして、顧客は操作表示部１０４に表示されたプリントメニュー画面に従って画像データからプリントを行う画像データの選択や、プリントサイズ、枚数等のプリント情報や、個人情報の設定を操作表示部１０４を用いて入力し注文情報の作成を行う（ステップＳ８）。
【００３９】
無人ＤＰＥ−ＢＯＸ１００の操作表示部１０４に入力された注文情報が表示される（ステップＳ９）。顧客は、表示された注文情報の確認を行い、操作表示部１０４から決定指示を行う。操作表示部１０４から決定指示信号が得られると、メモリカード５０からプリントに必要な画像データが記憶部１０６内に登録され（ステップＳ１０）、メモリカード５０に注文情報が記録される（ステップＳ１１）。
【００４０】
メモリカード５０への注文情報の記録処理の完了後、メモリカード５０の返却画面が表示される（ステップＳ１２）。顧客がメモリカード５０挿入部１０５からメモリカード５０を取り出すと、無人ＤＰＥ−ＢＯＸ１００のプリント受付動作が終了される（ステップＳ１３）。
【００４１】
図４は、本実施の形態における顧客画像データ利用サービス生産物生産システム１のプリント受取り時の動作フローの一例を示す。
プリント受取り時は、プリント時に作成された注文情報が記録されたメモリカード５０を用いてプリント１０の受取りを行う。
【００４２】
まず、顧客が無人ＤＰＥ−ＢＯＸ１００の操作表示部１０４の前に立つと（ステップＳ２１）、人を検知する検知器等により顧客が無人ＤＰＥ−ＢＯＸ１００の前にいることが認識され、操作表示部１０４に「いらっしゃいませ」等のプリント注文受付開始画面が表示され（ステップＳ２２）、メモリカード５０挿入部１０５に挿入するメモリカード５０の選択画面が表示される（ステップＳ２３）。
【００４３】
次に、顧客は、表示されたメモリカード５０の選択画面よりプリントすべき画像データが記憶されているメモリカード５０の種類を選択し、メモリカード５０挿入部１０５へメモリカード５０を挿入する。
挿入されたメモリカード５０が認識され（ステップＳ２４）メモリカード５０内に注文情報の有無が確認される。注文情報が有る場合、記憶部１０６に記録された注文情報と照合を行い適合した場合には注文情報が表示される（ステップＳ２５）。注文情報が無い場合、図３に示したプリント注文動作へ移る。
【００４４】
そして、顧客は、表示された注文情報の確認を行い、確認指示を操作表示部１０４から行う。無人ＤＰＥ−ＢＯＸ１００の操作表示部１０４から確認指示信号が得られると、注文情報内の料金情報が表示される（ステップＳ２６）。
【００４５】
顧客は、表示された料金を確認し、必要な金額を料金自動精算部１０７の硬貨７１投入口又は紙幣７２挿入口に入金する。無人ＤＰＥ−ＢＯＸ１００の料金自動精算部１０７から入金された硬貨７１及び紙幣７２の金額が確認され（ステップＳ２８）必要金額が徴収される。入金された金額が不足する場合は、必要金額が入金されるまで待機する（ステップＳ２９）。
【００４６】
無人ＤＰＥ−ＢＯＸ１００の料金自動精算部１０７による自動精算完了後、記憶部に登録されている注文情報からプリント１０が保管されている戸棚情報（例えば、戸棚の番号）が認識され、戸棚情報に基づいた戸棚のロックが解除され（ステップＳ２９）、操作表示部１０４にプリント１０取り出し指示画面が表示される。
顧客はプリント１０取り出し指示画面の指示に従って、ロック解除された戸棚からプリント１０を取り出し、扉を閉める（ステップＳ３０）。
【００４７】
受取りロッカー８０の戸棚の扉が閉められたことが確認されると、プリント１０領収済み情報がメモリカード５０に書込まれる（ステップＳ３１）。書込み終了後、メモリカード５０の返却画面が表示される（ステップＳ３２）。顧客はメモリカード５０挿入部１０５からメモリカード５０を取り出す。
【００４８】
なお、本実施の形態では、受付ＢＯＸ２００と受取りＢＯＸ３００とが一体となった無人ＤＰＥ−ＢＯＸ１００として説明したが、受付ＢＯＸ２００と受取りＢＯＸ３００とが個別に構成されてもよく、また受付ＢＯＸ２００と受取りＢＯＸ３００とが別々の場所に配置されていてもよい。
【００４９】
【発明の効果】
この請求項１、２又は３に記載の発明によれば、プリントを受取る際に、注文情報登録部に登録された注文情報と記憶媒体に記憶された注文情報とを照合することによって、プリントされた画像と顧客との照合を行う際の再確認手続が簡略化することが可能となり、プリントの注文及び受付業務が簡易化される。
【図面の簡単な説明】
【図１】本発明を適用した実施の形態の顧客画像データ利用サービス生産物生産システム１を示す概略図である。
【図２】図１に示す無人ＤＰＥ−ＢＯＸ１００の内部構成のブロック図である。
【図３】顧客画像データ利用サービス生産物生産システム１のプリント受付時の動作フローの一例である。
【図４】顧客画像データ利用サービス生産物生産システム１のプリント受取り時の動作フローの一例である。
【符号の説明】
１    顧客画像データ利用サービス生産物生産システム
１０    プリント
１００    無人ＤＰＥ−ＢＯＸ
１０１    ＣＰＵ
１０２    ＲＯＭ
１０３    ＲＡＭ
１０４    操作表示部
１０５    メモリカード挿入部
１０６    記憶部
１０７    料金自動精算部
１０８    プリント作成部
１０９    通信制御部
２００    受付ＢＯＸ
３００    受取りＢＯＸ
５０    メモリカード
７１    硬貨
７２    紙幣
８０    受取りロッカー
【図１】
2005011229.tif 000003
【図２】
2005011229.tif 000004
【図３】
2005011229.tif 000005
【図４】
2005011229.tif 000006